(57)【要約】      （修正有）【課題】鉛筆、ゲルインキボールペンといった筆記具で書き込みを行うことができるポケット式ファイルを提供する。【解決手段】合成樹脂により構成され、基層部１１と、基層部１１の表面側に設けられた中間層部２９と、中間層部２９の表面側に設けられる表層部１２とを備えている。基層部１１はポリプロピレン及び添加剤からなり、中間層部２９はポリプロピレンからなり、表層部１２はポリプロピレン、ポリエチレン及び無機充填剤からなる。【選択図】図４
0003213701.tif 000002
【実用新案登録請求の範囲】
【請求項１】
合成樹脂により構成され、基層部と、前記基層部の表面側に設けられた中間層部と、前記中間層部の表面側に設けられる表層部とを備えていることを特徴とするポケット式ファイル。
【請求項２】
前記基層部はポリプロピレン及び添加剤からなり、前記中間層部はポリプロピレンからなり、前記表層部はポリプロピレン、ポリエチレン及び無機充填剤からなることを特徴とする請求項１記載のポケット式ファイル。
【請求項３】
前記無機充填剤は炭酸カルシウムであることを特徴とする請求項２記載のポケット式ファイル。
【考案の詳細な説明】
【技術分野】
【０００１】
本考案は、書類等を収納するためのポケット式ファイルに係り、特に、鉛筆又はゲルインキボールペンで筆記可能な表層部を有するポケット式ファイルに関するものである。
【背景技術】
【０００２】
資料をファイリングするためのポケット式ファイルはポリプロピレン等の樹脂から構成されているため、鉛筆やゲルインキボールペンではこれらの表面に筆記することができない、という不具合があった。
その不具合を解消するために、鉛筆で筆記可能なクリアファイルは開示されているが、筆記可能なポケット式ファイルは開示されていない。
【０００３】
本件出願人は、このような観点から先行技術の調査を行い、特許文献１のような文献を発見したが、前記要請に応えられる技術ではなかった。
【先行技術文献】
【特許文献】
【０００４】
【特許文献１】実登３１９７５６０号公報
【考案の概要】
【考案が解決しようとする課題】
【０００５】
本考案の課題は、鉛筆、ゲルインキボールペンといった筆記具で繰り返し書き込みを行うことができるポケット式ファイルを提供することである。
【課題を解決するための手段】
【０００６】
前記課題達成のため、請求項１記載の考案にあっては、合成樹脂により構成され、基層部と、前記基層部の表面側に設けられた中間層部と、前記中間層部の表面側に設けられる表層部とを備えていることを特徴とする。
【０００７】
請求項２記載の考案にあっては、前記基層部はポリプロピレン及び添加剤からなり、前記中間層部はポリプロピレンからなり、前記表層部はポリプロピレン、ポリエチレン及び無機充填剤からなることを特徴とする。
【０００８】
従って、請求項２記載の考案にあっては、前記無機充填剤の球状の粒子形状により、前記表層部には微細な凹凸面が形成される。
【０００９】
請求項３記載の考案にあっては、前記無機充填剤は炭酸カルシウムであることを特徴とする。
【考案の効果】
【００１０】
請求項１〜３記載のポケット式ファイルにあっては、前記無機充填剤の粒子形状により、物理的又は化学的処理を行うことなく、前記表層部に微細な凹凸面を形成することができ、微細な凹凸面が形成されることにより、前記表層部への筆記時に摩擦が生じるため鉛筆の顔料やゲルインキボールペンのインクがはじかれることなく、前記表層部の凹凸面に付着させることができ、筆記したものを消去する場合には、消しゴムにより容易に消去することができる。
【００１１】
なお、前記無機充填剤の粒子系の大きさを選択することにより凹凸面の大きさも変更することができるため、鉛筆やゲルインキボールペンの筆記面の平滑さを適宜調整することができる。
【００１２】
さらに、前記表層部は、ポリプロピレン、ポリエチレン及び炭酸カルシウムから構成されており、炭酸カルシウムは、白色の粉末であり、ポリプロピレン及びポリエチレンに溶解しないことから炭酸カルシウムの粒子形状を維持することができる。
従って、前記表層部は炭酸カルシウム由来の白色を有するので様々な色調の鉛筆又はゲルインキボールペンを使用した場合であっても筆記内容をはっきりと確認することができる。
【００１３】
また、前記表層部を構成するポリプロピレン、ポリエチレン及び炭酸カルシウムは、いずれも容易に入手できる材料であることから、製造コストも軽減することができる。
従って、前記表層部に対して物理的又は化学的処理を行うことなく、均一の表面を有する低コストで筆記及び消去可能なポケット式ファイルを提供することができる。
【００１４】
その結果、鉛筆、ゲルインキボールペンといった筆記具で繰り返し書き込みを行うことができるポケット式ファイルを提供することができる。
【図面の簡単な説明】
【００１５】
【図１】図１は、本考案に係るポケット式ファイルを示し、袋状に形成された１つの収納部を有する本実施の形態に係るポケット式ファイルの平面図である。
【図２】図２は、本考案に係るポケット式ファイルを示し、複数の収納部を有する本実施の形態に係るポケット式ファイルの開いた状態を示す平面図である。
【図３】図３は、本考案に係るポケット式ファイルを示し、一方の面にのみ複数のＣＤ収納部を有する本実施の形態に係るポケット式ファイルの平面図である。
【図４】図４は、本考案に係るポケット式ファイルを示し、図１に示したポケット式ファイルのうち一方の面の断面状態を示すＡ−Ａ線相当断面図であり、図２に示した複数の収納部を有するポケット式ファイルの一方の面の断面状態を示すＢ−Ｂ線相当断面図であり、図３に示した一方の面にのみ複数のＣＤ収納部を有するポケット式ファイルの断面状態を示すＢ−Ｂ線相当断面図である。
【考案を実施するための最良の形態】
【００１６】
以下、添付図面に示す実施の形態に基づき、本考案を詳細に説明する。
前提として、図１に示すように、ポケット式ファイル３０は、１つの開口部１４が設けられるように、底面部１５及び一側面部１６が融着されている袋状のファイルである。
融着されている一側面部１６には、ファイリングのための複数の孔部１７、１７・・・が設けられている。
【００１７】
図２に示すように、複数の収納部を有するポケット式ファイル４０は、一方の側面部２３に複数の開口部１８、１８が設けられるように、他方の側面部２１、上端部２０及び下端部１９が融着されており、中央付近２２で一定間隔を置いて両面を融着されると共に、収納部を構成するポケット式ファイルは樹脂製のファイル本体部２８に固着されていることにより複数のポケットが構成されているファイルである。
【００１８】
図３に示すように、複数のＣＤ収納部を有するポケット式ファイル５０は、全側面が融着され、融着されている一側面部２５には、ファイリングのための複数の孔部２６、２６・・・が設けられており、ＣＤを収納するための開口部２４と、ＣＤの形状に合うように一定間隔を置いて円弧２７を描くように両面が融着されているファイルである。
【００１９】
図４に示すように、本実施の形態に係るポケット式ファイル１０にあっては、合成樹脂により構成され、基層部１１と、基層部１１の表面側に設けられた中間層部２９と、中間層部２９の表面側に設けられる表層部１２とを備えている。
【００２０】
図４に示すように、本実施の形態に係るポケット式ファイル１０にあっては、基層部１１はポリプロピレン及び添加剤からなり、中間層部２９はポリプロピレンからなり、表層部１２はポリプロピレン、ポリエチレン及び炭酸カルシウム１３から成る。
【００２１】
以下、本実施の形態に係るポケット式ファイル１０の作用について説明する。
図４に示すように、本実施の形態に係るポケット式ファイル１０にあっては、表層部１２は、無機充填剤が添加された合成樹脂から成ることから、無機充填剤の球状の粒子形状により、表層部１２には微細な凹凸面が形成される。
【００２２】
図４に示すように、本実施の形態に係るポケット式ファイル１０にあっては、表層部１２には微細な凹凸面が形成されることから、表層部１２へ筆記する際には、筆記具と表層部１２の凸面において摩擦が生じ、鉛筆の顔料は微粉砕され凹面に入り込み、ゲルインキボールペンのインクは、表層部１２の凹凸面をなぞるように移動することによりインクが凹凸面上に留まる。
【００２３】
図４に示すように、本実施の形態に係るポケット式ファイル１０にあっては、表層部１２はポリプロピレン、ポリエチレン及び炭酸カルシウム１３から成ることから、表層部１２は、炭酸カルシウム１３の色である白色を有することになるため、筆記部分を目立たせる。
【００２４】
以下、本実施の形態に係るポケット式ファイル１０の効果について説明する。
図４に示すように、本実施の形態に係るポケット式ファイル１０にあっては、表層部１２に含まれる無機充填剤の球状の粒子形状により、物理的又は化学的処理なしで表層部１２に微細な凹凸面を形成することができるため、鉛筆やゲルインキボールペンにより文字や絵を表記できる。また、筆記したものを消去する場合には、消しゴムにより容易に消去することができる。
【００２５】
図４に示すように、本実施の形態に係るポケット式ファイル１０にあっては、無機充填剤の粒子系の大きさを選択することにより凹凸面の大きさも変更することができるため、鉛筆やゲルインキボールペンの筆記面の平滑さを適宜調整することができる。
【００２６】
図４に示すように、本実施の形態に係るポケット式ファイル１０にあっては、表層部１２は、ポリプロピレン、ポリエチレン及び炭酸カルシウム１３から構成されており、炭酸カルシウム１３は、白色の粉末であり、ポリプロピレン、ポリエチレンに溶解しないことから炭酸カルシウム１３の粒子形状を維持することができる。
従って、表層部１２は炭酸カルシウム１３由来の白色を有するので様々な色調の鉛筆又はゲルインキボールペンを使用した場合であっても筆記内容をはっきりと確認することができる。
【００２７】
図４に示すように、本実施の形態に係るポケット式ファイル１０にあっては、表層部１２を構成するポリプロピレン、ポリエチレン及び炭酸カルシウム１３は、いずれも容易に入手できる材料であることから、製造コストも軽減することができる。
【００２８】
従って、表層部１２に対して物理的又は化学的処理を行うことなく、均一の表面を有する低コストで筆記及び消去可能なポケット式ファイルを提供することができる。
【産業上の利用可能性】
【００２９】
本考案は、筆記及び消去可能なポケット式ファイルであることから産業上の利用可能性を有している。
【符号の説明】
【００３０】
１０…ポケット式ファイル
１１…基層部
１２…表層部
１３…炭酸カルシウム
１４…開口部
１５…底面部
１６…一側面部
１７…孔部
１８…開口部
１９…下端部
２０…上端部
２１…他方の側面部
２２…中央付近
２３…一方の側面部
２４…開口部
２５…一側面部
２６…孔部
２７…円弧
２８…ファイル本体部
２９…中間層部
３０…袋状のポケット式ファイル
４０…複数の収納部を有するポケット式ファイル
５０…ＣＤ収納部を有するポケット式ファイル
【図１】
0003213701.tif 000003
【図２】
0003213701.tif 000004
【図３】
0003213701.tif 000005
【図４】
0003213701.tif 000006